(57)【特許請求の範囲】
【請求項１】
広帯域通信システム内におけるデータ送信の方法であって：
第２チャネルを利用してデータ送信を実行する必要があることを判断する段階；
前記第２チャネルが利用可能になる時刻を判定する段階；
第１変調スキームを利用して第１チャネルを利用開始する段階であって、前記第１チャネルは遠隔ユニットを電力制御するために利用され、かつ前記第１チャネルは前記第２チャネルが利用可能になる前記時刻に基づき利用開始される段階；および
前記第２チャネルが利用可能になると、前記第２チャネルおよび第２変調スキームを利用してデータを送信する段階；
を具備することを特徴とする方法。
【請求項２】
前記遠隔ユニットの電力制御は、前記第１チャネルを利用し、第１送信速度において、第１帯域幅内で、第１拡散コード変調を利用して前記遠隔ユニットを電力制御することによって行なわれることを特徴とする請求項１記載の方法。
【請求項３】
前記遠隔ユニットの電力制御は、第１送信速度実質的に毎秒３．６メガチップにおいて、実質的に５ＭＨｚの帯域幅内で、２５６次変調スキームを利用して前記遠隔ユニットを電力制御することによって行なわれることを特徴とする請求項２記載の方法。
【請求項４】
前記遠隔ユニットの電力制御は、第１送信速度において、第１帯域幅内で、第１数のブロック・シーケンス反復，第１数のシンボル反復および第１次変調によって構成される第１拡散コード変調を利用して前記遠隔ユニットを電力制御することによって行なわれることを特徴とする請求項２記載の方法。
【請求項５】
前記データを送信する段階が、前記第２チャネルを利用し、前記第１送信速度において、前記第１帯域幅内で、第２拡散コード変調を利用してデータを送信することによって行なわれることを特徴とする請求項２記載の方法。
【請求項６】
前記データを送信する段階が、第１送信速度実質的に毎秒３．６メガチップにおいて、実質的に５ＭＨｚの帯域幅内で、１６次変調スキームを利用して前記データを送信することによって行なわれることを特徴とする請求項５記載の方法。
【請求項７】
前記第１チャネルは基本チャネルであり、かつ前記第２チャネルは補助チャネルであることを特徴とする請求項１記載の方法。
【請求項８】
広帯域通信システム内においてデータ送信を行う装置であって：
第２チャネルを利用するデータ送信が必要であることを判断し、前記第２チャネルが利用可能になる時刻を判定する基地局コントローラ；
第１チャネルおよび第１変調スキームを利用して遠隔ユニットを電力制御する基本チャネル回路構成であって、該基本チャネル構成は前記第２チャネルが利用可能になる時刻に基づきデータの送信を行なうもの；および
前記第２チャネルが利用可能になると、前記第２チャネルおよび第２変調スキームを利用してデータを送信する補助チャネル回路構成；
を具備することを特徴とする装置。
【請求項９】
前記基本チャネル回路構成が第１送信速度において、第１帯域幅内に、第１拡散コード変調を利用して送信することを特徴とする請求項８記載の装置。
【請求項１０】
前記第１送信速度が実質的に毎秒３．６メガチップであり、前記第１帯域幅が実質的に５ＭＨｚであり、前記第１拡散コード変調が２５６次変調スキームであることを特徴とする請求項９記載の装置。
【請求項１１】
前記補助チャネル回路構成が第１送信速度において、第１帯域幅内に、第２拡散コード変調を利用して送信することを特徴とする請求項８記載の装置。
【発明の詳細な説明】
（産業上の利用分野）
本発明は、一般にセルラ通信システムに関し、詳しくは広帯域セルラ通信システム内のデータ送信に関する。
【０００１】
（従来の技術）
通信システムは周知であり、陸上移動無線機，セルラ無線電話，パーソナル通信システムおよび他の通信システムを含む多くの種類からなる。通信システムにおいては、送信側装置と受信側装置との間で、一般に通信チャネルと呼ばれる通信資源上に送信が行われる。現在までは、送信は音声信号によって構成されるのが普通であった。しかし、最近になって高速データ信号を含む他の形式の信号を伝えることが提案されてきた。操作を容易にするためには、既存の音声通信上にデータ送信機能を重ねて、操作が基本的には音声通信システムに対して透明でありながら、なおかつ音声通信システムの通信資源と他のインフラストラクチャとを利用することが好ましい。
【０００２】
透明なデータ送信機能を有して現在開発されつつあるこのような通信システムに、次世代符号分割多重接続（CDMA：Code-Division Multiple-Access）セルラ通信システムがあり、より一般的には広帯域cdmaOneあるいは広帯域９５と称される。このような通信システム内では、すべての遠隔ユニットと基地局の送信は、同一の周波数帯域内で同時に行われるのが普通である。従って、基地局または遠隔ユニットにおいて受信される信号は、個々の遠隔ユニットまたは基地局それぞれからの多数の周波数と時間が重複する被符号化信号によって構成される。これらの信号の各々が同一の無線周波数（RF）において同時に送信され、特有の暗号化（チャネル）によってのみ区別される。言い換えると、基地局または遠隔ユニット受信機において受信される信号は、各被送信信号の復号信号であり、個々の信号は解読後にしか区別することができない。
【０００３】
広帯域９５通信システム内の遠隔ユニット・データ送信は、遠隔ユニットに高速データ・チャネル（補助チャネル（supplemetnal channel）と呼ばれる）と補助チャネルを利用する上記の送信データとを割り当てることによって行われる。さらに詳しくは、データ送信が要求されると、遠隔ユニットには直ちに共通トラフィック・チャネル（基本チャネル（fundamental channel））が割り当てられ、補助チャネルが利用可能になるまで正しい送信電力に電力制御される。補助チャネルが利用可能になると、それを利用してデータ送信が行われる。送信後、補助チャネルは遠隔ユニットから解放され、電力制御は基本チャネル上で継続される。
【０００４】
１つの通信システム内で利用可能なチャネル数には限りがあるので、広帯域９５通信システム内のデータ送信によりシステム容量が減少する。とりわけ、長い時間に亘って不必要に電力制御のために基本チャネルを利用すると、システムが利用可能なチャネル数が減る。従って、広帯域通信システム内のデータ送信のための方法および装置が必要とされる。
【０００５】
（好適な実施例の説明）
一般的に述べて、広帯域通信システム内におけるデータ送信は次のように行われる：遠隔ユニットが基本チャネルまたは補助チャネルを利用して基地局にアクティブに通信をしていない期間中は、遠隔ユニットは連続して、あるいは周期的に、基地局による保留中の送信の通知に関して順方向制御チャネル（IS-95Aページング・チャネル）を監視する。基地局は、遠隔ユニットに対する高データ速度送信を行う必要があると判断し、さらに補助チャネル回路構成が利用可能であるか否かを判断する。補助チャネルが利用可能になる少し前に、基地局は遠隔ユニットに対して保留中のデータ送信を通知し、遠隔ユニットに基本チャネルを割り当てて、適切な送信電力レベルを設定する。最後に、遠隔ユニットに対するデータ送信が補助チャネルを利用して実行される。
【０００６】
本発明は、広帯域通信システム内におけるデータ送信のための方法を含む。本方法は、第２チャネルを利用してデータ送信を実行する必要があることを判断する段階によって構成される。次に、第２チャネルが利用可能になる時刻を判定し、遠隔ユニットは、第１チャネルおよび第１変調スキームを利用して電力制御されるが、このとき電力制御の段階は第２チャネルが利用可能になる時刻に基づく。最後に、第２チャネルが利用可能になると、第２チャネルおよび第２変調スキーム上にデータが送信される。
【０００７】
本発明は、広帯域通信システム内のデータ送信のための方法をさらに含む。本方法は、補助チャネルを利用してデータ送信を実行する必要があることを判断する段階と、補助チャネルが利用可能になる時刻を判定する段階とによって構成される。次に、第１変調スキームを利用して、補助チャネルが利用可能になる時刻に基づき基本チャネルを利用し、第１帯域幅内で遠隔ユニットに送信が行われる。遠隔ユニットは、送信に基づき電力制御され、最後に補助チャネルが利用可能になると、補助チャネルおよび第２変調スキームを利用して第１帯域幅内で遠隔ユニットにデータが送信される。
【０００８】
本発明は、広帯域通信システム内でのデータ送信のための装置をさらに含むが、本装置は、第１チャネルを利用するデータ送信が実行されることが必要であることを判断し、第１チャネルが利用可能になる時刻を判定する基地局コントローラと、第２チャネルおよび第１変調スキームを利用して遠隔ユニットを電力制御する基本チャネル回路構成であって、第１チャネルが利用可能になる時刻に基づき遠隔ユニットを電力制御する基本チャネル回路構成と、第１チャネルが利用可能になると第１チャネルおよび第２変調スキームを利用してデータを送信する補助チャネル回路構成とによって構成される。
【０００９】
図１は、本発明の好適な実施例による遠隔ユニット１１３にデータを送信する基地局１００のブロック図である。基地局１００は、基地局コントローラ１０１，複数の基本チャネル回路１０３，１つ以上の補助チャネル回路１０５，加算器１１１および変調器１１５によって構成される。図示されるように、基地局１００はダウンリンク通信信号１１７を介して遠隔ユニット１１３に通信を行い、遠隔ユニット１１３はアップリンク通信信号１１９を介して基地局１００に通信する。
【００１０】
本発明の好適な実施例においては、遠隔ユニット１１３に対する通信は、補助チャネル回路構成１０５および／または基本チャネル回路構成１０３を利用して実行される。詳しくは、基地局１００が順方向および逆方向の送信の両方に関して定義される２つのクラスのチャネルを利用する。好適な実施例においては、基本チャネルは既存のCDMAトラフィック・チャネルに類似しており、音声および信号化のために用いられるが、より広い帯域幅に拡散する点が異なる。CDMAトラフィック・チャネルは、本明細書に参考文献として含まれる、二重モード広帯域拡散スペクトル・セルラ・システムのための移動局−基地局互換性規準（Mobile Station-Base Station Compatibility Standards for Dual-Mode Wideband Spread Spectrum Cellular Systems）すなわち電気通信工業会の暫定規準95A（Telecommunications Industry Association Interim Standard）（１９９３年ワシントンDCにて発行）（IS-95A）に詳細に記述される。IS-95Aに説明されるように、このチャネルの送信速度は動的に可変することがある。さらに、ソフト・ハンドオフ（２つ以上の基本チャネル回路１０３を利用する同時通信）が基本チャネル回路構成１０３を利用して支援される。補助チャネルは、遠隔ユニット１１３に高データ速度サービスを通信するために利用される。補助チャネルのデータ速度は送信に先立ち決められる。複数のデータ源がこのチャネル上で時間多重される。さらに、このチャネルのサービス品質（たとえばフレーム誤り率（FER：Frame Error Rate），ビット誤り率（BER：Bit Error Rate）および／または送信遅延）は基本チャネルとは独立して設定および動作することができる。
【００１１】
本発明の好適な実施例による基地局１００からのデータ送信は、次のように行われる。遠隔ユニット１１３が基本チャネルまたは補助チャネルを利用して基地局１００にアクティブに通信をしていない期間中は、遠隔ユニット１１３はアクティブにあるいは周期的に、基地局１００による保留中の送信の通知に関して順方向制御チャネル（IS-95Aページング・チャネル）を監視する。詳しくは、ページング・チャネル回路構成（図示せず）を利用して、保留中のダウンリンク送信を標示するメッセージを遠隔ユニット１１３に送付する。本発明の好適な実施例においては、ページング・チャネル回路構成は、IS-95Aセクション７．１．３．４，７．６．２およびセクション７．７．２に説明されるような回路構成である。基地局１００は、遠隔ユニット１１３に対する高データ速度送信を行う必要があると判断し、さらに補助チャネル回路構成１０５が利用可能であるか否かを判断する。通信に利用可能な補助チャネルの数には制限があるので、遠隔ユニット１１３に対する送信のために補助チャネルが利用できない場合もある。従来技術によるデータ送信方法とは異なり、本発明の好適な実施例においては、補助チャネルが直ちに利用可能でない場合は、補助チャネルが利用可能になる少し前まで遠隔ユニット１１３には基本チャネルが割り当てられない。補助チャネルが利用可能になる少し前に、基地局１００は（ページング・チャネルを介して）遠隔ユニット１１３に対し保留中のデータ送信を通知し、遠隔ユニット１１３に基本チャネルを割り当てて、適切な送信電力レベルを設定する。詳しくは、基地局１００は遠隔ユニット１１３に対して、基本チャネルおよび補助チャネルによって利用される拡散コード（ウォルシュ・コード）と、補助チャネルの割り当てられたデータ速度とを通知する。
【００１２】
続いて、IS-95Aセクション６．１．２および６．６．３．１．１．１．に説明されるように基本チャネルを利用して初期電力制御が実行される。IS-95Aに説明されるように、初期の順方向リンク利得は、許容可能なリンクを保証するだけの充分な高さをもって設定しなければならない。基地局１００と遠隔ユニット１１３との間のチャネル品質は発信時には未知であるので、呼は最小順方向リンク利得において発され、しかるべく電力が上昇される。適切な電力レベルになると、補助チャネルを利用する通信（すなわちデータ送信）が実行される。詳しくは、遠隔ユニット１１３に割り当てられる補助チャネル回路構成１０５が加算器１１１に送信されるデータを出力し、加算器においてそのデータは他のチャネル送信と加算される。それに由来する加算された送信が次に変調器１１５によってQPSK変調され、ダウンリンク通信信号１１７を介して遠隔ユニット１１３に送信される。送信終了時に、補助チャネルおよび基本チャネルは解放され、遠隔ユニット１１３は再びページング・チャネルのみを監視する。補助チャネルが利用可能になる少し前に基本チャネルを割り当てることで、遠隔ユニットが基本チャネルを利用する時間を短縮し、システムが利用できるチャネル数が増える。
【００１３】
本発明の好適な実施例による遠隔ユニット１１３からのデータ送信は、次のように行われる。遠隔ユニット１１３が基本チャネルまたは補助チャネルを利用して基地局１００にアクティブに通信をしていない期間中は、基地局１００は遠隔ユニット１１３による保留中の送信の通知に関して順方向制御チャネル（IS-95Aアクセス・チャネル）をアクティブに監視する。遠隔ユニット１１３は、基地局１００に対する高データ速度送信を行う必要があると判断し、アクセス・チャネルを利用して、基地局１００に対しパケット・サービス要求を送付することによって補助チャネルを要求する。補助チャネル容量が利用可能でない場合、基地局１００は、ページング・チャネル上に要求を肯定応答する。従来技術によるデータ送信方法とは異なり、本発明の好適な実施例においては、補助チャネルが直ちに利用可能でない場合は、補助チャネルが利用可能になる少し前まで遠隔ユニット１１３には基本チャネルが割り当てられない。しかし、補助チャネルが利用可能な場合は、基本チャネルが直ちに遠隔ユニット１１３に割り当てられ、適切な送信電力レベルを設定し、設定されると補助チャネルが割り当てられる。補助チャネルが利用可能になる少し前に、基地局１００は（ページング・チャネルを介して）遠隔ユニット１１３に対し保留中のデータ送信を通知し、遠隔ユニット１１３に基本チャネルを割り当てて、安定した送信電力レベルを設定する。詳しくは、基地局１００は遠隔ユニット１１３に対して、基本チャネルおよび補助チャネルによって利用される拡散コード（ウォルシュ・コード）と、補助チャネルの割り当てられたデータ速度とを通知する。適切な電力レベルになると、補助チャネルを利用する通信（すなわちデータ送信）が実行される。送信後、補助チャネルおよび基本チャネルは解放され、遠隔ユニット１１３は再びページング・チャネルのみを監視する。補助チャネルが利用可能になる少し前に基本チャネルを割り当てることで、遠隔ユニットが基本チャネルを利用する時間を短縮し、システムが利用できるチャネル数が増える。
【００１４】
図２は、本発明の好適な実施例による遠隔ユニットの適切な電力レベルを設定する図１の基本チャネル回路構成のブロック図である。基本チャネル回路構成１０３は、チャネル・マルチプレクサ２０１，畳込エンコーダ２１２，シンボル中継器２１５，ブロック・インターリーバ２１６，ロング・コード・スクランブラ２１７および直交エンコーダ２２０を備える。動作中は、信号２１０（トラフィック・チャネル・データ・ビット）が特定のビット速度（たとえば８．６ｋビット／秒）においてチャネル・マルチプレクサ２０１によって受信される。入力トラフィック・チャネル・データ２１０ビットには、通常、ボコーダによりデータに変換される音声と、純粋なデータまたはこれら２種類のデータの組み合わせが含まれる。チャネル・マルチプレクサ２０１は、二次トラフィック（たとえばデータ）および／または信号化トラフィック（たとえば制御またはユーザ・メッセージ）をトラフィック・チャネル・データ２１０上に多重化し、多重化されたデータを９．６kビット／秒で畳込エンコーダ２１２に出力する。畳込エンコーダ２１２は、入力データ・ビット２１０を一定の暗号化速度においてデータ・シンボルに暗号化する。これには、データ・シンボルを後でデータ・ビットに最尤解読するのを容易にする暗号化アルゴリズム（たとえば畳み込みまたはブロック・コーディング・アルゴリズム）を用いる。たとえば、畳込エンコーダ２１２は、１データ・ビット対２データ・シンボル（すなわち速度１／３）の一定の暗号化速度において入力データ・ビット２１０（９．６ｋビット／秒の速度において受信される）を暗号化するので、畳込エンコーダ２１２は２８．８ｋシンボル／秒の速度においてデータ・シンボル２１４を出力する。
【００１５】
次にデータ・シンボル２１４が中継器２１５によって反復され、インターリーバ２１６に入力される。インターリーバ２１６は、シンボル・レベルにおいて入力データ・シンボル２１４を挟み込む。インターリーバ２１６において、データ・シンボル２１４は、所定のサイズ・ブロックのデータ・シンボル２１４を定義する行列内に個々に入力される。データ・シンボル２１４は、行列が列毎に満たされるように行列内の場所に入力される。データ・シンボル２１４は、行列が行毎に空になるように行列内の場所から個々に出力される。通常、行列は、列数と等しい数の行数を有する正方行列であるが、他の行列形式を選択して、連続的に入力される非挟み込みデータ・シンボル間の出力挟み込み距離を大きくしてもよい。挟み込まれたデータ・シンボル２１８は、入力されたのと同じデータ・シンボル速度（たとえば２８．８ｋシンボル／秒）でインターリーバ２１６によって出力される。行列により定義されるデータ・シンボルの所定のブロック・サイズは、所定長の送信ブロック内で所定のシンボル速度において送信することのできる最大データ・シンボル数から導かれる。たとえば、送信ブロックの所定長が２０ミリ秒であるとすると、データ・シンボルの所定のブロック・サイズは２８．８ｋシンボル／秒に２０ミリ秒を掛けたもので、５７６データ・シンボルとなり、１８ｘ３２の行列を定義する。
【００１６】
挟み込まれたデータ・シンボル２１８はスクランブラ２１７によってスクランブルされ、直交エンコーダ２２０に出力される。直交エンコーダ２２０は、挟み込まれスクランブルされたデータ・シンボル２１８の各々に直交コード（たとえば２５６次ウォルシュ・コード）をモジューロ２加算する。たとえば、２５６次直交暗号化においては、挟み込まれスクランブルされたデータ・シンボル２１８はそれぞれ、２５６シンボル直交コードにより排他的演算を受ける。これらの２５６個の直交コードは、好ましくは、２５６ｘ２５６のアダマール行列からのウォルシュ・コードに対応し、１つのウォルシュ・コードは行列の１行または１列である。直交エンコーダ２２０は、一定のシンボル速度（たとえば２８．８ｋシンボル／秒）において入力データ・シンボル２１８に対応するウォルシュ・コードを繰り返し出力する。
【００１７】
ウォルシュ・コード２４２のシーケンスは、さらに１対の短い疑似乱数コード２２４（すなわちロング・コードに比すると短い）によってさらに拡散され、ＩチャネルおよびＱチャネル・コード拡散シーケンス２２６を生成する。ＩチャネルおよびＱチャネル・コード拡散シーケンス２２６は、一対の正弦波の電力レベル制御を駆動することにより、この対の直交位相正弦波を二相変調するために用いられる。正弦波出力信号が加算され、QPSK変調され（変調器１１５により）、アンテナ１２０によって放出されてチャネル・データ・ビット２１０の送信が終了する。本発明の好適な実施例においては、拡散シーケンス２２６は毎秒３．６８６４メガチップ（Mcps）の速度で出力され、５MHz帯域幅内に放出されるが、本発明の代替の実施例においては、拡散シーケンス２２６は異なる速度で出力され、異なる帯域幅内に放出されることもある。たとえば、本発明の代替の実施例においては、IS-95A送信スキームを利用することができ、その場合は、拡散シーケンス２２６は１．２５MHz帯域幅内で１．２２８８Mcpsの速度（トラフィック・チャネル速度）で出力される。
【００１８】
図３は、本発明の好適な実施例による図１の補助チャネル回路構成１０５のブロック図である。補助チャネル回路構成１０５は、チャネル・マルチプレクサ３０１，畳込エンコーダ３１２，シンボル中継器３１５，ブロック・インターリーバ３１６および直交エンコーダ３２０を備える。動作中は、信号３１０（データ）が特定のビット速度（たとえば１５２．４ｋビット／秒）においてチャネル・マルチプレクサ３０１によって受信される。チャネル・マルチプレクサ３０１は、二次トラフィック（たとえばユーザ・データ）を補助チャネル・データ３１０上に多重化し、多重化されたデータを１５３．６kb／秒で畳込エンコーダ３１２に出力する。
【００１９】
畳込エンコーダ３１２は、入力データ・ビット３１０を一定の暗号化速度においてデータ・シンボルに暗号化する。これには、データ・シンボルを後でデータ・ビットに最尤解読するのを容易にする暗号化アルゴリズム（たとえば畳み込みまたはブロック・コーディング・アルゴリズム）を用いる。たとえば、畳込エンコーダ３１２は、１データ・ビット対２データ・シンボル（すなわち速度１／３）の一定の暗号化速度において入力データ・ビット３１０（１５３．６ｋビット／秒の速度において受信される）を暗号化するので、畳込エンコーダ３１２は４６０．８ｋビット／秒の速度においてデータ・シンボル３１４を出力する。
【００２０】
次にデータ・シンボル３１４がインターリーバ３１６に入力される。インターリーバ３１６は、シンボル・レベルにおいて入力データ・シンボル３１４を挟み込む。インターリーバ３１６において、データ・シンボル３１４は、所定のサイズ・ブロックのデータ・シンボル３１４を定義する行列内に個々に入力される。データ・シンボル３１４は、行列が列毎に満たされるように行列内の場所に入力される。データ・シンボル３１４は、行列が行毎に空になるように行列内の場所から個々に出力される。通常、行列は、列数と等しい数の行数を有する正方行列であるが、他の行列形式を選択して、連続的に入力される非挟み込みデータ・シンボル間の出力挟み込み距離を大きくしてもよい。挟み込まれたデータ・シンボル３１８は、入力されたのと同じデータ・シンボル速度（たとえば４６０．８ｋシンボル／秒）でインターリーバ３１６によって出力される。行列により定義されるデータ・シンボルの所定のブロック・サイズは、所定長の送信ブロック内で所定のシンボル速度において送信することのできる最大データ・シンボル数から導かれる。たとえば、送信ブロックの所定長が２０ミリ秒であるとすると、データ・シンボルの所定のブロック・サイズは９．２１６ｋシンボルとなる。
【００２１】
挟み込まれたデータ・シンボル３１８は、中継器３１５により反復され、直交エンコーダ３２０に出力される。直交エンコーダ３２０は、挟み込まれスクランブルされたデータ・シンボル３１８の各々に直交コード（たとえば１６次ウォルシュ・コード）をモジューロ２だけ加算する。たとえば、１６次直交暗号化においては、挟み込まれスクランブルされたデータ・シンボル３１８はそれぞれ、１６シンボル直交コードにより排他的演算を受ける。これらの１６個の直交コードは、好ましくは、１６ｘ１６のアダマール行列からのウォルシュ・コードに対応し、１つのウォルシュ・コードは行列の１行または１列である。直交エンコーダ３２０は、一定のシンボル速度（たとえば４６０．８ｋシンボル／秒）において入力データ・シンボル３１８に対応するウォルシュ・コードまたはその逆数を繰り返し出力する。
【００２２】
重み付けされたウォルシュ・コード３４２のシーケンスは、１対の短い疑似乱数コード３２４（すなわちロング・コードに比すると短い）によってさらに拡散され、ＩチャネルおよびＱチャネル・コード拡散シーケンス３２６を生成する。ＩチャネルおよびＱチャネル・コード拡散シーケンス３２６は、直交位相対のシヌソイドの電力レベル制御部を駆動することにより、この対のシヌソイドを二相変調するために用いられる。シヌソイド出力信号が加算され、QPSK変調され（変調器１１５により）、アンテナ１２０によって放出されてチャネル・データ・ビット３１０の送信が終了する。本発明の好適な実施例においては、拡散シーケンス３２６は毎秒３．６８６４Mcpsの速度で出力され、５MHz帯域幅内に放出される。
【００２３】
図４は、本発明の好適な実施例による基地局１００からのデータ送信を示す流れ図である。論理の流れは段階４０１で始まり、このとき遠隔ユニット１１３は基本チャネルまたは補助チャネルを利用して基地局１００とアクティブに通信をしていないが、基地局１００による保留送信の通知に関して、順方向制御チャネル（IS-95Aページング・チャネル）をアクティブに監視する。上述の如く、ページング・チャネル回路構成（図示せず）は、保留ダウンリンク送信を示すメッセージを遠隔ユニット１１３に送付するために利用される。段階４０３において、基地局コントローラ１０１が、遠隔ユニット１１３に対する高データ速度送信を実行する必要があるか否かを判断する。段階４０３において、基地局コントローラ１０１が高データ速度通信を実行する必要がないと判断すると、論理の流れは段階４０３に戻り、そうでない場合は論理の流れは段階４０５に進む。段階４０５において、コントローラ１０１は、補助チャネル回路構成１０５が利用可能になる時刻（ｔ）を決定し、段階４０７において、コントローラ１０１は、現在の時刻が補助チャネルが利用可能になる少し前であるか否かを判断する。詳しくは、コントローラ１０１は、現在の時刻がｔ−ｘであるか否かを判断する。ただしｘは遠隔ユニット１１３の正確な電力制御に必要とされる期間である。（本発明の好適な実施例においては、ｘは約．５秒である）。段階４０７において、現在時刻がｔ−ｘより小さくない場合は、論理の流れは段階４０７に戻り、そうでない場合は論理の流れは段階４０９に進んで、基地局１００が遠隔ユニット１１３に対して保留中のデータ送信を（ページング・チャネルを介して）通知し、遠隔ユニット１１３に電力制御のための第１チャネル（基本チャネル）を割り当てる。段階４１１において、第１チャネルを利用することにより電力制御が実行される。詳しくは、第１送信速度（３．６８６４Mcps）において、第１帯域幅（５MHz）内で、第１拡散コード変調スキーム（第１次または本発明の好適な実施例においては、２５６次変調スキーム）を利用して送信することにより、遠隔ユニット１１３が電力制御される。段階４１３において、コントローラ１０１は、電力制御が適切に実行されたか否かを判断し、適切に実行されない場合は、論理の流れは段階４１１に戻り、そうでない場合は論理の流れは段階４１５に進んで、第２チャネル（補助チャネル）を利用してデータ送信が実行される。詳しくは、第１送信速度（３．６８６４Mcps）において、第１帯域幅（５MHz）内で、第２拡散コード変調スキーム（二次または本発明の好適な実施例においては、１６次変調スキーム）を利用して送信することにより、データ送信が実行される。補助チャネルが利用可能になる少し前に基本チャネルを割り当てることによって、遠隔ユニットが基本チャネルを利用する時間量を減らして、システムが利用できるチャネル数を増やす。本発明の好適な実施例においては、補足および基本チャネル送信が同一の周波数帯域において、さらに同時に実行されるが、本発明の代替の実施例においては、送信は異なる送信用周波数帯域を利用して行われる。
【００２４】
図５は、本発明の好適な実施例による遠隔ユニット１１３からのデータ送信を示す流れ図である。論理の流れは段階５０１で始まり、このとき遠隔ユニット１１３は基本チャネルまたは補助チャネルを利用して基地局１００とアクティブに通信をしていないが、遠隔ユニット１１３による保留送信の通知に関して、逆方向制御チャネル（IS-95Aアクセス・チャネル）をアクティブに監視する。段階５０３において、遠隔ユニット１１３が、基地局１００に対する高データ速度送信を実行する必要があるか否かを判断し、必要である場合は、アクセス・チャネルを利用してパケット・サービス要求を基地局１００に送付する（段階５０４）ことにより、補助チャネルを要求し、そうでない場合は、論理の流れは段階５０３に戻る。段階５０５において、補助チャネル容量が利用できない場合、基地局１００は、ページング・チャネル上に要求を肯定応答する。従来技術によるデータ送信方法とは異なり、本発明の好適な実施例においては、遠隔ユニット１１３には補助チャネルが利用可能になる少し前まで基本チャネルが割り当てられない。詳しくは、段階５０７において、コントローラ１０１が補助チャネル回路構成１０５が利用可能になる時刻（ｔ）を決定し、段階５０９において、コントローラ１０１は、現在の時刻が補助チャネルが利用可能になる少し前であるか否かを判断する。詳しくは、コントローラ１０１は、現在の時刻がｔ−ｘであるか否かを判断する。ただしｘは遠隔ユニット１１３の正確な電力制御に必要とされる期間である。段階５０９において、現在時刻がｔ−ｘより小さくない場合は、論理の流れは段階５０９に戻り、そうでない場合は論理の流れは段階５１１に進んで、基地局１００が遠隔ユニット１１３に対して保留中のデータ送信を（ページング・チャネルを介して）通知し、遠隔ユニット１１３に電力制御のための第１チャネル（基本チャネル）を割り当てる。段階５１３において、第１チャネルを利用して電力制御が実行される。詳しくは、第１送信速度（３．６８６４Mcps）において、第１帯域幅（５MHz）内で、第１数のブロック・シーケンス反復と、第１数のシンボル反復（２４）と、最後に４次変調とによって構成される第１拡散コード変調スキームを利用して送信することにより、遠隔ユニット１１３が電力制御される。段階５１５において、コントローラ１０１は、電力制御が適切に実行されたか否かを判断し、適切に実行されない場合は、論理の流れは段階５１３に戻り、そうでない場合は論理の流れは段階５１７に進んで、第２チャネル（補助チャネル）を利用してデータ送信が実行される。詳しくは、第１送信速度（３．６８６４Mcps）において、第１帯域幅（５MHz）内で、第２数のシンボル反復（２）および最後に４次変調によって構成される第２拡散コード変調スキームを利用して送信することにより、遠隔ユニットからのデータ送信が実行される。上述の如く、本発明の好適な実施例においては、補足および基本チャネル送信が同一の周波数帯域において、さらに同時に実行される。
【００２５】
図６は、本発明の代替実施例による図１の基地局からのデータ送信を示す流れ図である。本発明の代替の実施例においては、従来技術による方法を介する電力制御（すなわちデータ送信要求があると直ちに基本チャネルを割り当てる）が特定のシステム条件についてのみ実行され、残りのシステム条件すべてに関しては、本発明の好適な実施例により説明されるように電力制御が実行される。論理の流れは段階６０１で始まり、このとき遠隔ユニット１１３は基本チャネルまたは補助チャネルを利用して基地局１００とアクティブに通信をしていないが、基地局１００による保留送信の通知に関して、順方向制御チャネル（IS-95Aページング・チャネル）をアクティブに監視する。段階６０３において、基地局コントローラ１０１が、遠隔ユニット１１３に対する高データ速度送信を実行する必要があるか否かを判断する。段階６０３において、基地局コントローラ１０１が高データ速度通信を実行する必要がないと判断すると、論理の流れは段階６０３に戻り、そうでない場合は論理の流れは段階６０５に進む。段階６０５において、コントローラ１０１は、補助チャネル回路構成１０５が利用可能になる時刻（ｔ）を決定する。段階６０７において、コントローラ１０１は、基本チャネルを直ちに割り当てることを要求するシステム条件が存在するか否かを判断する。本発明の代替の実施例においては、システム負荷が最小である場合は基本チャネルが直ちに割り当てられ、そうでない場合は基本チャネルは、本発明の好適な実施例に関して説明されるように割り当てられる。本発明のさらに別の代替実施例においては、基本チャネルは、データ送信の周波数に基づいて直ちに割り当てられる。言い換えると、補助チャネルを利用して頻繁にデータを送信する遠隔ユニットには制御用の基本チャネルが直ちに割り当てられるが、補助チャネルを利用してデータをたまにしか送信しない遠隔ユニットには、本発明の好適な実施例に関して説明されたように基本チャネルが割り当てられる。
【００２６】
段階６０７においてコントローラ１０１がシステム条件が存在すると判断すると、論理の流れは段階６０９に進み、基本チャネルが遠隔ユニット１１３に直ちに割り当てられ、遠隔ユニット１１３には保留中のデータ送信が通知される。次に段階６１１において、遠隔ユニット１１３は、第１チャネルを利用して電力制御され、論理の流れは段階６１３に進む。段階６１３において、コントローラ１０１は、補助チャネルが利用可能であるか否かを判断し、利用できない場合は、論理の流れは段階６１３に戻り、利用できる場合は段階６２１に進む。
【００２７】
段階６０７に戻り、コントローラ１０１がシステム条件が存在しないと判断すると、論理の流れは段階６１５に進み、コントローラ１０１は、現在時刻が補助チャネルが利用可能になる少し前であるか否かを判断する。詳しくは、コントローラ１０１は、現在の時刻がｔ−ｘであるか否かを判断する。ただしｘは遠隔ユニット１１３の正確な電力制御に必要とされる期間である。段階６１５において、現在時刻がｔ−ｘより小さくない場合は、論理の流れは段階６１５に戻り、そうでない場合は論理の流れは段階６１７に進んで、基地局１００が遠隔ユニット１１３に対して保留中のデータ送信を（ページング・チャネルを介して）通知し、遠隔ユニット１１３に電力制御のための第１チャネル（基本チャネル）を割り当てる。段階６１９において、第１チャネル上に送信することにより電力制御が実行される。詳しくは、第１送信速度（３．６８６４Mcps）において、第１帯域幅（５MHz）内で、第１拡散コード変調スキーム（２５６次）を利用して送信することにより、遠隔ユニット１１３が電力制御される。段階６２１において、コントローラ１０１は、電力制御が適切に実行されたか否かを判断し、適切に実行されない場合は、論理の流れは段階６１９に戻り、適切に実行される場合は論理の流れは段階６２３に進んで、第２チャネル（補助チャネル）を利用するデータ送信が実行される。詳しくは、第１送信速度（３．６８６４Mcps）において、第１帯域幅（５MHz）内で、第２拡散コード変調スキーム（１６次）を利用して送信することにより、データ送信が実行される。
【００２８】
本発明は特定の実施例に関して詳しく図示および説明されたが、本発明の精神および範囲から逸脱せずに形式および詳細において種々の変更を加えることができること、またこれらの変更すべてが以下の請求項の範囲内に入ると意図されることが当業者には理解頂けよう。
【図面の簡単な説明】
【図１】  本発明の好適な実施例によるデータを送信するための基地局のブロック図である。
【図２】  本発明の好適な実施例による遠隔ユニットの適切な電力レベルを設定するための、図１の基本チャネル回路構成のブロック図である。
【図３】  本発明の好適な実施例によるデータを送信するための図１の補助チャネル回路構成のブロック図である。
【図４】  本発明の好適な実施例による図１の基地局からのデータ送信を示す流れ図である。
【図５】  本発明の好適な実施例による図１の遠隔ユニットからのデータ送信を示す流れ図である。
【図６】  本発明の代替実施例による図１の基地局からのデータ送信を示す流れ図である。
【図１】
0003851506.tif 000002
【図２】
0003851506.tif 000003
【図３】
0003851506.tif 000004
【図４】
0003851506.tif 000005
【図５】
0003851506.tif 000006
【図６】
0003851506.tif 000007